(57)【特許請求の範囲】
【請求項１】
建物に庇を取付ける庇の取付構造において、
前記建物の外壁に、水平方向に長尺な庇取付ブラケットが前記外壁に沿って固定され、
この庇取付ブラケットと直角な複数の支持アームが前記庇取付ブラケットの長手方向に所定ピッチで配置されるとともに、これら支持アームの基端部が前記庇取付ブラケットに固定され、
前記複数の支持アームの先端部に、前記庇取付ブラケットと平行に配置された繋ぎ材が取付けられることによって、前記複数の支持アームの先端部が前記繋ぎ材によって連結され、
前記繋ぎ材を下方から支持する複数の支持柱が前記繋ぎ材の長手方向に所定ピッチで設置され、
前記支持アームと前記繋ぎ材に屋根部が設けられており、
前記庇取付ブラケットがその長手方向に分割された複数の分割庇取付ブラケットによって構成され、
前記繋ぎ材がその長手方向に分割された複数の分割繋ぎ材によって構成され、
前記屋根部が、前記庇取付ブラケットの長手方向に分割された複数の屋根パネルによって構成され、
前記庇の長手方向において、前記庇取付ブラケットの分割位置と、前記繋ぎ材の分割位置と、前記屋根部の分割位置とが一致しており、
前記支持アームの位置と、前記繋ぎ材の分割位置とが異なることを特徴とする庇の取付構造。
【請求項２】
請求項１に記載の庇の取付構造において、
前記庇取付ブラケットは、前記外壁に当接されて止着材によって固定されるブラケット固定部と、前記外壁との間に所定の間隔をもって設けられて、前記支持アームの基端部がボルト止めされる支持アーム固定部とを備えていることを特徴とする庇の取付構造。
【請求項３】
請求項２に記載の庇の取付構造において、
前記支持アームの基端部に、前記支持アーム固定部に当接されてボルト止めされる固定プレートが設けられていることを特徴とする庇の取付け構造。
【請求項４】
請求項１〜３のいずれか一項に記載の庇の取付構造において、
前記複数の屋根パネルのうち、少なくとも一つが玄関ポーチ上に配置され、残りが玄関ポーチ上から建物の外壁に沿って配置されていることを特徴とする庇の取付構造。
【請求項５】
建物に庇を取付ける庇の取付方法において、
前記建物の外壁に、水平方向に長尺な庇取付ブラケットを前記外壁に沿って固定し、
次に、この庇取付ブラケットと直交する複数の支持アームを前記庇取付ブラケットの長手方向に所定ピッチで配置するとともに、これら支持アームの基端部を前記庇取付ブラケットに固定し、
次に、前記複数の支持アームの先端部に、前記庇取付ブラケットと平行に配置された繋ぎ材を取付けることによって、前記複数の支持アームの先端部を前記繋ぎ材によって連結し、
次に、前記繋ぎ材を下方から支持する複数の支持柱を前記繋ぎ材の長手方向に所定ピッチで設置し、
次に、前記支持アームと前記繋ぎ材に屋根部を設ける方法であって、
前記庇取付ブラケットがその長手方向に分割された複数の分割庇取付ブラケットによって構成され、
前記繋ぎ材がその長手方向に分割された複数の分割繋ぎ材によって構成され、
前記屋根部が、前記庇取付ブラケットの長手方向に分割された複数の屋根パネルによって構成され、
前記庇の長手方向において、前記庇取付ブラケットの分割位置と、前記繋ぎ材の分割位置と、前記屋根部の分割位置とを一致させ、
前記支持アームの位置と、前記繋ぎ材の分割位置とを異ならせることを特徴とする庇の取付方法。
【発明の詳細な説明】
【技術分野】
【０００１】
本発明は、建物に庇を取り付ける庇の取付構造および取付方法に関する。
【背景技術】
【０００２】
建物に庇を取り付ける庇の取付構造の一例として特許文献１に記載のものが知られている。この庇の取付構造は、庇の基端部に、断面Ｌ字状の取付金具が設けられ、建物の躯体に、開口部の上辺部を構成する第一框材が固定され、前記第一框材に、前記取付金具が、その一片部を前記第一框材の上面に当接し、他片部を前記第一框材の前面に当接した状態で固定されていることを特徴としている。
この庇の取付構造によれば、第一框材に取付金具を当接して固定するだけなので、庇を建物に容易に取付けることができる。
【先行技術文献】
【特許文献】
【０００３】
【特許文献１】特開２００２−２６６４５９号公報
【発明の概要】
【発明が解決しようとする課題】
【０００４】
ところで、建物の間取りや形状等に応じて、庇の左右の長さを自由に調整したいという要望がある。しかしながら、上記従来の技術では、建物開口部の上辺部の第一框材に、庇の基端部を取付金具を介して固定しているので、開口部の上辺部より左右の長さが長い庇を取り付けるのは困難である。
また、庇の左右の長さを長くすると、その分重量も嵩むので、従来のように庇の基端部を第1框材に固定するだけでは、庇を支持するのが困難になってくる。
【０００５】
本発明は上記事情に鑑みてなされたもので、庇の左右の長さを自由に調整できるとともに、庇を確実に支持できる庇の取付構造および取付方法を提供することを課題としている。
【課題を解決するための手段】
【０００６】
上記課題を解決するために、請求項１に記載の発明は、例えば図１〜図８に示すように、建物に庇１を取付ける庇の取付構造において、
前記建物の外壁７に、水平方向に長尺な庇取付ブラケット２が前記外壁７に沿って固定され、
この庇取付ブラケット２と直角な複数の支持アーム３が前記庇取付ブラケット２の長手方向に所定ピッチで配置されるとともに、これら支持アーム３の基端部が前記庇取付ブラケット２に固定され、
前記複数の支持アーム３の先端部に、前記庇取付ブラケット２と平行に配置された繋ぎ材４が取付けられることによって、前記複数の支持アーム３の先端部が前記繋ぎ材４によって連結され、
前記繋ぎ材４を下方から支持する複数の支持柱５が前記繋ぎ材４の長手方向に所定ピッチで設置され、
前記支持アーム３と前記繋ぎ材４に屋根部６が設けられており、
前記庇取付ブラケット２がその長手方向に分割された複数の分割庇取付ブラケット１２によって構成され、
前記繋ぎ材４がその長手方向に分割された複数の分割繋ぎ材１５によって構成され、
前記屋根部６が、前記庇取付ブラケット２の長手方向に分割された複数の屋根パネル２０によって構成され、
前記庇１の長手方向において、前記庇取付ブラケット２の分割位置と、前記繋ぎ材４の分割位置と、前記屋根部６の分割位置とが一致しており、
前記支持アーム３の位置と、前記繋ぎ材４の分割位置とが異なることを特徴とする。
【０００７】
請求項１に記載の発明によれば、建物の外壁７に水平方向に長尺な庇取付ブラケット２が前記外壁７に沿って固定されているので、この庇取付ブラケット２に固定する支持アームの本数とピッチを自由に調整することができ、これによって、支持アーム３の先端部を
連結する繋ぎ材４の長さを自由に調整するとともに、これら支持アーム３と繋ぎ材４に設ける屋根部６の長さを自由に調整することができる。したがって、庇の左右の長さを自由に調整できる。
また、繋ぎ材４を下方から支持する複数の支持柱５が前記繋ぎ材４の長手方向に所定ピッチで設置されているので、左右に長い庇１を確実に支持できる。
また、庇取付ブラケット２の分割位置と、繋ぎ材４の分割位置と、屋根部６の分割位置とが一致しているので、分割庇取付ブラケット１２、分割繋ぎ材１５、屋根パネル２０の数を適宜調整することによって、庇１の左右の長さを自由に調整できる。
また、支持アーム３の位置と繋ぎ材４の分割位置とが異なるので、分割繋ぎ材１５,１５を支持アーム３に干渉することなく容易に接合できる。
【０００８】
請求項２に記載の発明は、請求項１に記載の庇の取付構造において、
前記庇取付ブラケット２は、前記外壁７に当接されて止着材８によって固定されるブラケット固定部２ａと、前記外壁７との間に所定の間隔をもって設けられて、前記支持アーム３の基端部がボルト止めされる支持アーム固定部２ｂとを備えていることを特徴とする。
【０００９】
請求項２に記載の発明によれば、ブラケット固定部２ａが外壁７に当接されて止着材８によって固定されているので、庇取付ブラケット２を外壁７に強固に固定でき、また、支持アーム固定部２ｂが外壁７との間に所定の間隔をもって設けられているので、支持アーム固定部２ｂに支持アーム３の基端部を容易にボルト止めできる。
【００１０】
請求項３に記載の発明は、請求項２に記載の庇の取付構造において、
前記支持アーム３の基端部に、前記支持アーム固定部２ｂに当接されてボルト止めされる固定プレート３ａが設けられていることを特徴とする。
【００１１】
請求項３に記載の発明によれば、固定プレート３ａが支持アーム固定部２ｂに当接されてボルト止めされるので、支持アーム３の基端部を支持アーム固定部２ｂに容易かつ強固に固定できる。
【００１６】
請求項４に記載の発明は、請求項１〜３のいずれか一項に記載の庇の取付構造において、前記屋根部６が、前記庇取付ブラケット２の長手方向に分割された複数の屋根パネル２０によって構成され、
前記複数の屋根パネル２０のうち、少なくとも一つが玄関ポーチ上に配置され、残りが玄関ポーチ上から建物の外壁７に沿って配置されていることを特徴とする。
【００１７】
請求項４に記載の発明によれば、複数の屋根パネル２０のうち、少なくとも一つが玄関ポーチ上に配置され、残りが玄関ポーチ上から建物の外壁７に沿って配置されているので、玄関ポーチ上の玄関庇から延長する延長庇を容易に施工できる。
【００１８】
請求項５に記載の発明は、建物に庇を取付ける庇の取付方法において、
前記建物の外壁７に、水平方向に長尺な庇取付ブラケット２を前記外壁７に沿って固定し、
次に、この庇取付ブラケット２と直交する複数の支持アーム３を前記庇取付ブラケット２の長手方向に所定ピッチで配置するとともに、これら支持アーム３の基端部を前記庇取付ブラケット２に固定し、
次に、前記複数の支持アーム３の先端部に、前記庇取付ブラケット２と平行に配置された繋ぎ材４を取付けることによって、前記複数の支持アーム３の先端部を前記繋ぎ材４によって連結し、
次に、前記繋ぎ材４を下方から支持する複数の支持柱５を前記繋ぎ材４の長手方向に所定ピッチで設置し、
次に、前記支持アーム３と前記繋ぎ材４に屋根部６を設ける方法であって、
前記庇取付ブラケット２がその長手方向に分割された複数の分割庇取付ブラケット１２によって構成され、
前記繋ぎ材４がその長手方向に分割された複数の分割繋ぎ材１５によって構成され、
前記屋根部６が、前記庇取付ブラケット２の長手方向に分割された複数の屋根パネル２０によって構成され、
前記庇１の長手方向において、前記庇取付ブラケット２の分割位置と、前記繋ぎ材４の分割位置と、前記屋根部６の分割位置とを一致させ、
前記支持アーム３の位置と、前記繋ぎ材４の分割位置とを異ならせることを特徴とする。
【００１９】
請求項５に記載の発明によれば、支持アーム３の本数とピッチを調整するとともに、繋ぎ材４の長さを調整することによって、庇１の左右の長さを自由に調整した庇を施工できる。
また、繋ぎ材４を下方から支持する複数の支持柱５が前記繋ぎ材４の長手方向に所定ピッチで設置されているので、左右に長い庇を確実に支持できる。
また、庇取付ブラケット２の分割位置と、繋ぎ材４の分割位置と、屋根部６の分割位置とを一致させるので、分割庇取付ブラケット１２、分割繋ぎ材１５、屋根パネル２０の数を適宜調整することによって、庇１の左右の長さを自由に調整できる。
また、支持アーム３の位置と繋ぎ材４の分割位置とを異ならせるので、分割繋ぎ材１５,１５を支持アーム３に干渉することなく容易に接合できる。
【発明の効果】
【００２０】
本発明によれば、建物の外壁に水平方向に長尺な庇取付ブラケットが前記外壁に沿って固定されているので、支持アームの本数とピッチを調整するとともに、繋ぎ材の長さや屋根部の長さを調整することによって、庇の左右の長さを自由に調整できる。
また、繋ぎ材を下方から支持する複数の支持柱が前記繋ぎ材の長手方向に所定ピッチで設置されているので、左右に長い庇を確実に支持できる。
【図面の簡単な説明】
【００２１】
【図１】本発明に係る庇の取付構造の一例を示すもので、当該取付構造を有する建物の要部の斜視図である。
【図２】同、分解斜視図である。
【図３】同、庇の側断面図である。
【図４】同、庇の正断面図である。
【図５】同、庇の先端部の拡大断面図である。
【図６】同、庇の平面図である。
【図７】同、庇の正面図である。
【図８】同、庇の側面図である。
【発明を実施するための形態】
【００２２】
以下、図面を参照して本発明の実施の形態について説明する。
図１は本発明に係る庇の取付構造を有する建物の要部の斜視図、図２は庇の取付構造を示す分解斜視図である。
なお、本実施の形態では、建物は複数の建物ユニットを現場で縦横に設置してなるユニット式建物である。
【００２３】
図１および図２に示すように、庇１は、庇取付ブラケット２、支持アーム３、繋ぎ材４
、支持柱５、屋根部６等を備えて構成されている。
庇取付ブラケット２は、建物の外壁７に沿って水平方向に長尺な部材であり、図２および図３に示すように、金属製の帯状の板材を二つの凸部を有するように折り曲げ加工することによって形成されている。
また、庇取付ブラケット２は、外壁７にビス等の止着材８によって固定されるブラケット固定部２ａと、外壁７との間に所定の間隔をもって設けられて、支持アーム３の基端部がボルト止めされる支持アーム固定部２ｂとを備えている。ブラケット固定部２ａは、前記２つの凸部を挟んで合計３箇所に形成されており、支持アーム固定部２ｂは前記凸部の先端に形成されている。凸部の高さはその内側にボルト止め用のナットを挿入可能となるように、当該ナットの高さより高くなっている。
また、庇取付ブラケット２は、図２に示すように、その長手方向に３分割された３本の分割庇取付ブラケット１２・・・によって構成され、各分割庇取付ブラケット１２には、前記ブラケット固定部２ａと支持アーム固定部２ｂが形成されている。
そして、３本の分割庇取付ブラケット１２は、それらを一直線状に配置して外壁７に当接するとともに、それらのブラケット固定部２ａを通して止着材８を外壁７に打ち込みまたはねじ込むことによって、外壁７に固定されている。
【００２４】
前記支持アーム３は、庇取付ブラケット２と直角に４本配置されるとともに、庇取付ブラケット２の長手方向に所定ピッチで配置されている。支持アーム３は断面コ字形の鋼材によって形成されており、その基端部には固定プレート３ａが固定されている。
固定プレート３ａは、図３に示すように、その上端に水平に折曲された水平板を有しており、この水平板を割庇取付ブラケット１２（庇取付ブラケット２）の上側の凸部の上面に掛けたうえで、２つの凸部の先端面に形成されている支持アーム固定部２ｂ,２ｂに当接されてボルト止めされている。このようにして支持アーム３の基端部が庇取付ブラケット２に固定されている。
【００２５】
前記繋ぎ材４は、図２に示すように、４本の支持アーム３の先端部に、庇取付ブラケット２と平行に配置されたうえで、取付けられている。これによって４本の支持アーム３の先端部が繋ぎ材４によって連結されている。
繋ぎ材４は断面コ字形の鋼材によって形成されている。一方、前記支持アーム３の先端部には、図３および図５に示すように、連結部材１３が支持アーム３の先端部から突出すようにして溶接固定されている。そして、この連結部材１３が繋ぎ材４の上側のフランジ部にボルト１４によってボルト止めされることによって、支持アーム３の先端部が連結部材１３を介して繋ぎ材４に連結されている。
また、繋ぎ材４は、図２に示すように、その長手方向に分割された３本の分割繋ぎ材１５によって構成されている。３本の分割繋ぎ材１５は、それらを一直線状に配置したうえで、互いに連結されている。隣り合う分割繋ぎ材１５,１５には、図４に示すように、それらの接合部を跨ぐようにして、接合板１６が分割繋ぎ材１５,１５のウエブ部に内側から当接されている。そして、この接合板１６がボルト１４によって、ウエブ部にボルト止めされることによって、隣り合う分割繋ぎ材１５,１５どうしが接合されている。
【００２６】
前記支持柱５は、図１および図２に示すように、繋ぎ材４を下方から支持するものであり、繋ぎ材４の長手方向に所定ピッチで４本設置されている。
支持柱５は、図２〜図４に示すように、角筒状の鋼材で形成された柱本体５ａと、この柱本体５ａの上下端部にそれぞれ固定された上端プレート５ｂ、下端プレート５ｃと、柱本体５ａの外側を覆う化粧カバー５ｄとから構成されている。
柱本体５ａの下端部は、図７および図８に示すように、玄関ポーチ１７に埋設されおり、下端プレート５ｃが基礎にアンカーボルト１８によって固定されている。柱本体５ａの上端部は、図３〜図５に示すように、庇１中に挿入さており、上端プレート５ｂがボルト１４によって、繋ぎ材４の下側のフランジ部にボルト止めされている。これによって、繋
ぎ材４は支持柱５によって下方から支持されている。
なお、支持柱５の化粧カバー５ｄは、玄関ポーチ１７の上面と庇１の下面との間に位置する柱本体５ａの外側を所定の隙間をもって覆っており、化粧カバー５ｄの上端と庇１の下面との間、化粧カバー５ｄの下端と玄関ポーチ１７の上面との間には若干の隙間が設けられている。
【００２７】
また、前記支持アーム３と繋ぎ材４に屋根部６が設けられている。屋根部６は、図１、図２および図６に示すように、庇１の長手方向に分割された３枚の屋根パネル２０によって構成されている。
屋根パネル２０は、図３に示すように、庇取付ブラケット２と平行に配置された複数本の断面コ字形の鋼材２０ａと、これら鋼材２０ａの上面に取り付けられ屋根材２０ｂとを備えている。屋根材２０ｂは合板等によって形成されている。なお、屋根材２０ｂの上面には薄板状の屋根鋼板が設けられている。
屋根パネル２０の軒先側に位置する鋼材２０ａは前記繋ぎ材４の上面に設置されており、ボルト１４によってボルト止めされている。また、屋根パネル２０の軒先側以外に位置する鋼材２０ａは前記支持アーム３の上面に設置され、ボルト１４によってボルト止めされている。なお、屋根パネル２０の軒先側に位置する鋼材２０ａに隣り合う鋼材２０ａはボルト止めされていない。
また、図１に示すように、屋根部６を構成する複数の屋根パネル２０のうち、一つの屋根パネル２０が玄関ポーチ１７上に配置され、残りの屋根パネル２０は玄関ポーチ１７上から建物の外壁７に沿って配置されている。
【００２８】
隣接する屋根パネル２０,２０どうしの隙間には、図２に示すように、ジョイナー２１が設けられている。また、３枚の屋根パネル２０の上面の奥側には庇取付ブラケット２の長手方向に延在する溝２０ｃが連続して設けられており、この溝２０ｃに箱型の樋２２が挿入固定されている。なお、樋２２は２枚の屋根パネル２０,２０に設けられる長いものと、１枚の屋根パネル２０に設けられる短いものがあるが、これら樋２２,２２は若干の隙間をもって連続して設けられている。また、図６に矢印で示すように、屋根パネル２０の上面は樋２２向けて水が流れるような水勾配が付され、さらに、長い樋２２は図１および図６において左側に水が流れるような水勾配が付され、短い樋２２は右側に水が流れるような水勾配が付されている。なお、樋２２の端部には、後述する竪樋４２が接続されるドレン孔２２ａが形成されている。
【００２９】
前記屋根部６の先端部および側端部には、図１および図２に示すように、幕板２３が取り付けられている。
幕板２３はその長手方向に分割された５つの分割幕板２４によって構成されている。屋根部６の先端部に取付けられた３つの分割幕板２４は、前記繋ぎ材４と平行に配置されており、左右両側の分割幕板２４の一端部は屋根部６の側端部側に向けて折曲している。また、屋根部６の側端部に取り付けられた２つの分割幕板２４は、支持アーム３と平行に配置されおり、図２および図３において、左側の分割幕板２４の一端部は内側に折曲している。
【００３０】
また、前記分割幕板２４は上幕板２４ａと下幕板２４ｂとによって構成されている。図５に示すように、屋根パネル２０の先端部には取付部材２５が固定されており、この取付部材２５の上部に、角材２６、水密材２７を介して、屋根部６の先端部に位置する上幕板２４ａの上部がビス２８によって固定され、取付部材２５の下端部に当該上幕板２４ａの下部がビス２８によって固定されている。なお、上幕板２４ａの前面には各パイプで形成された化粧部材２４ｃが上下に所定間隔で複数取付けられている。
また、取付部材２５の下端部には、屋根部６の先端部に位置する下幕板２４ｂの上端部がビス２８によって固定され、当該下幕板２４ｂの下端部はブラケット２９に固定されて
いる。前記繋ぎ材４には支持部材３０が繋ぎ材４から前方に突出するようにして固定されており、この支持部材３０に野縁３１が固定され、この野縁３１に前記ブラケット２９が固定されている。
【００３１】
また、図４に示すように、屋根パネル２０の側端部には取付部材２５ａが固定されており、この取付部材２５ａの上部に、角材および水密材を介して、屋根部６の側端部に位置する上幕板２４ａの上部がビスによって固定され、取付部材２５ａの下端部に当該上幕板２４ａの下部がビス２８によって固定されている。なお、上幕板２４ａの前面には各パイプで形成された化粧部材２４ｃが上下に所定間隔で複数取付けられている。
また、取付部材２５ａの下端部には、屋根部６の側端部に位置する下幕板２４ｂの上端部がビス２８によって固定され、当該下幕板２４ｂの下端部はブラケット２９ａに固定されている。このブラケット２９ａは、後述する軒天野縁３２の端部に当該軒天野縁３２と直角に取り付けられた軒天野縁３２ａに固定されている。
【００３２】
また、図３に示すように、支持アーム３には、複数の軒天野縁３２が固定されている。軒天野縁３２は支持アーム３と直交する方向に延びており、所定間隔で平行に配置されている。軒天野縁３２の下面には、図３および図２に示すように、軒天材３３が水平に固定されている。なお、支持柱５より前方に位置する軒天材３３ａは、図５に示すように、前記野縁３１に固定されている。また、軒天材３３の裏側には、ダウンライト３４が支持アーム３に固定されて設けられており、このダウンライト３４のカバー材は軒天材３３に形成された孔に挿入されることによって、軒天材３３の下面に開口している。
【００３３】
図２〜図４に示すように、前記庇の長手方向において、庇取付ブラケット２の分割位置（分割庇取付ブラケット１２,１２の接合位置）と、繋ぎ材４の分割位置（分割繋ぎ材１５,１５の接合位置）と、屋根部６の分割位置（屋根パネル２０,２０の接合位置）と、幕板２３の分割位置（屋根部６の先端部の位置する分割幕板２４,２４の接合位置）とが一致している。また、前記支持アーム３の位置と、前記繋ぎ材４の分割位置とは異なっている。
【００３４】
次に建物に庇１を取り付ける方法について説明する。
まず、建物の外壁７に、水平方向に長尺な庇取付ブラケット２を外壁７に沿って固定する。
この場合、図２および図３に示すように、分割庇取付ブラケット１２を一直線状に配置するとともに、それらのブラケット固定部２ａを外壁７に当接してビス等の止着材８によって固定する。
【００３５】
次に、図２に示すように、庇取付ブラケット２と直交する複数の支持アーム３を庇取付ブラケット２の長手方向に所定ピッチで配置するとともに、これら支持アーム３の基端部を庇取付ブラケット２に固定する。
支持アーム３の基端部を庇取付ブラケット２に固定する場合、図３に示すように、支持アーム３の基端部の固定プレート３ａの上端の水平板を庇取付ブラケット２の上側の凸部の上面に掛けたうえで、固定プレート３ａを２つの凸部の先端面に形成されている支持アーム固定部２ｂ,２ｂに当接してボルト４０によって、ボルト止めする。ボルト４０が螺合するナットは凸部の内側に収めることができるので、容易にボルト止めできる。
なお、支持アーム３の基端部を固定する位置は、分割庇取付ブラケット１２,１２の接合位置以外に設定する。
【００３６】
次に、図２に示すように、複数の支持アーム３の先端部に、庇取付ブラケット２と平行に配置された繋ぎ材４を取付けることによって、複数の支持アーム３の先端部を繋ぎ材４によって連結する。
この場合、図４に示すように、複数の分割繋ぎ材１５を一直線状に配置するとともに、隣り合う分割繋ぎ材１５,１５の接合部を跨ぐようにして、接合板１６を分割繋ぎ材１５,１５のウエブ部に内側から当接したうえで、この接合板１６をボルト１４によって、ウエブ部にボルト止めすることによって、隣り合う分割繋ぎ材１５,１５どうしを接合する。
また、図３〜図５に示すように、支持アーム３の先端部に突出すようにして固定されている連結部材１３を、繋ぎ材４の上側のフランジ部にボルト１４によってボルト止めすることによって、支持アーム３の先端部を連結部材１３を介して繋ぎ材４に連結する。
なお、庇１の長手方向において、庇取付ブラケット２の分割位置（分割庇取付ブラケット１２,１２の接合位置）に、繋ぎ材４の分割位置（分割繋ぎ材１５,１５の接合位置）を一致させる。
【００３７】
次に、図２に示すように、繋ぎ材４を下方から支持する複数の支持柱５を繋ぎ材４の長手方向に所定ピッチで設置する。
この場合、図７および図８に示すように、支持柱５の柱本体５ａの下端部を玄関ポーチ１７に埋設し、下端プレート５ｃを基礎にアンカーボルト１８によって固定する。また、柱本体５ａの上端部を、図３〜図５に示すように、庇１中に挿入し、上端プレート５ｂをボルト１４によって、繋ぎ材４の下側のフランジ部にボルト止めする。これによって、繋ぎ材４を支持柱５の柱本体５ａによって下方から支持する。
本実施の形態では、支持柱５は、平面視において、繋ぎ材４の分割位置（分割繋ぎ材１５,１５の接合位置）からずらして配置するが、支持柱５は繋ぎ材４の長手方向の所望の位置に配置すればよい。
【００３８】
次に、図２に示すように、前記支持アーム３と繋ぎ材４に屋根部６を設ける。
この場合、図３〜図５に示すように、複数の屋根パネル２０を支持アーム３および繋ぎ材４上に互いに隣接させて配置したうえで、屋根パネル２０の軒先側に位置する鋼材２０ａを繋ぎ材４の上面に設置して、ボルト１４によってボルト止めする。また、屋根パネル２０の軒先側以外に位置する鋼材２０ａを支持アーム３の上面に設置して、ボルト１４によってボルト止めする。
【００３９】
次に、図２に示すように、屋根パネル２０の溝２０ｃに樋２２を挿入固定した後、隣接する屋根パネル２０,２０どうしの隙間にジョイナー２１を設ける。
次に、図２、図３〜図５に示すように、支持アーム３に、複数の軒天野縁３２を固定するとともに、繋ぎ材４の端部に、支持部材３０を介して野縁３１を固定する。
次に、屋根部６の先端部に位置する下幕板２４ｂの上端部を取付部材２５の下端部にビス２８によって固定するとともに、当該下幕板２４ｂの下端部をブラケット２９に固定する。また、屋根部６の側端部に位置する下幕板２４ｂの上端部を取付部材２５ａの下端部にビス２８によって固定するとともに、当該下幕板２４ｂの下端部をブラケット２９ａに固定する。
次に、屋根部６の先端部に位置する上幕板２４ａの上部を取付部材２５の上部に、角材２６、水密材２７を介して、ビス２８によって固定するとともに、当該上幕板２４ａの下端部を取付部材２５の下端部にビス２８によって固定する。また、屋根部６の側端部に位置する上幕板２４ａの上部を取付部材２５ａの上部に、角材、水密材を介して、ビスによって固定するとともに、当該上幕板２４ａの下端部を取付部材２５ａの下端部にビス２８によって固定する。
【００４０】
次に、図３および図４に示すように、前記軒天野縁３２に軒天材３３を固定するとともに、野縁３１に、支持柱５より前方に位置する軒天材３３ａを固定する。
次に、図１および図３に示すように、屋根部６と外壁７との取り合い部に水切り４１を取付け、その後、柱本体５ａにその外側を覆う化粧カバー５ｄを取り付ける。
最後に、図１および図２に示すように、竪樋４２、胴差４３等を取り付けて終了する。
【００４１】
本実施の形態によれば、建物の外壁７に水平方向に長尺な庇取付ブラケット２が外壁７に沿って固定されているので、この庇取付ブラケット２に固定する支持アーム３の本数とピッチを自由に調整することができ、これによって、支持アーム３の先端部を連結する繋ぎ材４の長さを自由に調整するとともに、これら支持アーム３と繋ぎ材４に設ける屋根部６の長さを自由に調整することができる。したがって、庇の左右の長さを自由に調整できる。
また、繋ぎ材４を下方から支持する複数の支持柱５が前記繋ぎ材４の長手方向に所定ピッチで設置されているので、左右に長い庇１を確実に支持できる。
【００４２】
また、庇取付ブラケット２のブラケット固定部２ａが外壁７に当接されて止着材８によって固定されているので、庇取付ブラケット２を外壁７に強固に固定でき、また、支持アーム固定部２ｂが外壁７との間に所定の間隔をもって設けられているので、支持アーム固定部２ｂに支持アーム３の基端部を容易にボルト止めできる。つまり、支持アーム固定部２ｂと外壁７との間にナットを挿入して、このナットにボルト４０を螺合して締め付けることによって、支持アーム固定部２ｂに支持アーム３の基端部を容易にボルト止めできる。
さらに、支持アーム３の基端部に、支持アーム固定部２ｂに当接されてボルト止めされる固定プレート３ａが設けられているので、支持アーム３の基端部を支持アーム固定部２ｂに容易かつ強固に固定できる。
【００４３】
また、庇取付ブラケット２が複数の分割庇取付ブラケット１２によって構成され、繋ぎ材４が複数の分割繋ぎ材１５によって構成され、屋根部６が、複数の屋根パネル２０によって構成され、庇取付ブラケット２の分割位置と、繋ぎ材４の分割位置と、屋根部６の分割位置とが一致しているので、分割庇取付ブラケット１２、分割繋ぎ材１５、屋根パネル２０の数を適宜調整することによって、庇１の左右の長さを自由に調整できる。
また、支持アーム３の位置と繋ぎ材４の分割位置とが異なるので、分割繋ぎ材１５,１５を支持アーム３に干渉することなく容易に接合できる。
また、屋根部６が、庇取付ブラケット２の長手方向に分割された複数の屋根パネル２０によって構成され、複数の屋根パネル２０のうちの一つが玄関ポーチ１７上に配置され、残りが玄関ポーチ１７上から建物の外壁７に沿って配置されているので、玄関ポーチ１７上の玄関庇から延長する延長庇を施工できる。
【符号の説明】
【００４４】
１  庇
２  庇取付ブラケット
２ａ  ブラケット固定部
２ｂ  支持アーム固定部
３  支持アーム
３ａ  固定プレート
４  繋ぎ材
５  支持柱
６  屋根部
７  外壁
８  止着材
１２  分割庇取付ブラケット
１５  分割繋ぎ材
１７  玄関ポーチ
２０  屋根パネル
【図１】
0005734760.tif 000002
【図２】
0005734760.tif 000003
【図３】
0005734760.tif 000004
【図４】
0005734760.tif 000005
【図５】
0005734760.tif 000006
【図６】
0005734760.tif 000007
【図７】
0005734760.tif 000008
【図８】
0005734760.tif 000009